(57)【要約】【課題】製造コストの低減および測定装置本体の小形化を図る。【解決手段】測定装置本体２および測定用ケーブル１０，１０を備え、測定装置本体２は、定電流源３と、測定部４と、定電流源３に接続された接続具３２ａおよび測定部４に接続された接続具３２ｂをそれぞれ有するジャック８ａ，８ｂとを備え、測定用ケーブル１０は、プローブ１１ａ，１１ｂが相互に絶縁された状態で一端部に接続され、かつプローブ１１ａに接続されると共に接続具３２ａ，３２ｂの一方に接触させられる接続具１２ａと、プローブ１１ｂに接続されると共に接続具３２ａ，３２ｂの他方に接触させられる接続具１２ｂとを有するプラグ１２が他端部に接続され、ジャック８ａ，８ｂは、プラグ１２を挿入可能に形成された挿入用孔内に接続具３２ａ，３２ｂが配設され、プラグ１２は、挿入用孔内への挿入方向と直交する方向に沿って接続具１２ａ，１２ｂが並んで配設されている。【選択図】図１
2010117248.tif 000002
【特許請求の範囲】
【請求項１】
測定装置本体、および当該測定装置本体とは別体に構成された一対の測定用ケーブルを備えた測定装置であって、
前記測定装置本体は、測定用信号を供給する信号供給部と、測定対象体についての電気的パラメータの測定処理を実行する測定部と、前記信号供給部に接続された第１接続具および前記測定部に接続された第２接続具をそれぞれ有する一対のジャックとを備えて構成され、
前記測定用ケーブルは、前記測定対象体に接触させられる第１接触子および第２接触子が相互に絶縁された状態で一端部に接続され、かつ当該第１接触子に接続されると共に前記第１接続具および前記第２接続具のいずれか一方に接触させられる第３接続具と当該第２接触子に接続されると共に当該第１接続具および当該第２接続具の他方に接触させられる第４接続具とを有するプラグが他端部に接続されて構成され、
前記ジャックは、前記プラグを挿入可能に形成された挿入用孔内に前記第１接続具および前記第２接続具が配設され、
前記プラグは、前記挿入用孔内への挿入方向と直交する方向に沿って前記第３接続具および前記第４接続具が並んで配設されている測定装置。
【請求項２】
前記ジャックは、前記挿入用孔としての丸孔内に前記第１接続具および前記第２接続具が対向配置され、
前記プラグは、断面半円形状の前記第３接続具と断面半円形状の前記第４接続具とが絶縁体を挟むようにして一体化されて全体として円柱状に形成されている請求項１記載の測定装置。
【請求項３】
前記ジャックには、当該ジャックに挿入した前記プラグの回動を規制する回動規制用凸部および回動規制用凹部のいずれか一方が設けられ、前記プラグには、前記回動規制用凸部および前記回動規制用凹部の他方が設けられている請求項２記載の測定装置。
【発明の詳細な説明】
【技術分野】
【０００１】
本発明は、測定装置本体および測定用ケーブルを備えた測定装置に関するものである。
【背景技術】
【０００２】
この種の測定装置として、２端子測定法および４端子測定法の両測定法のうちの任意の測定法に従って測定対象体（被測定物）の抵抗値を測定可能に構成された抵抗測定器（以下、単に「測定器」ともいう）が特開昭５２−３４７５号公報に開示されている。この測定器において２端子測定法によって抵抗値を測定する際には、同公報の第１図における一対の「Ｒｘ端子」を測定対象体に接触させると共に、同図における「スイッチＳ１，Ｓ２，Ｓ３」を「（イ）側、Ｒｘ側、（ハ）側」にそれぞれ切り替えた状態において、電流計から電流値を取得すると共に電圧計から電圧値を取得して抵抗値を演算する。一方、４端子測定法によって抵抗値を測定する際には、同公報の第１図における一対の「Ｒｘ端子」および一対の「Ｖｘ端子」を測定対象体に接触させると共に、同図における「スイッチＳ３」を「（ニ）側」に切り替えた状態において、電流計から電流値を取得すると共に電圧計から電圧値を取得して抵抗値を演算する。このように、この測定器では、各スイッチの切替え操作によって、２端子測定法および４端子測定法の両測定法のうちの任意の測定法によって抵抗値を測定することが可能となっている。
【特許文献１】特開昭５２−３４７５号公報（第２頁、第１−２図）
【発明の開示】
【発明が解決しようとする課題】
【０００３】
ところが、従来の測定器には、以下の問題点が存在する。すなわち、従来の測定器では、各スイッチの切替え操作によって２端子測定法および４端子測定法の両測定法のうちの任意の測定法によって抵抗値を測定することが可能となっている。しかしながら、複数のスイッチを配設したことに起因して、従来の測定器には、その製造コストの低減が困難となっているという問題点がある。この場合、この種の測定器では、一般的には、電源、電流計および電圧計等が配設された測定器本体と、測定対象体に接触させられる電極（接触子）および測定器本体に接続するための端子がリード線を介して相互に接続された測定用ケーブルとが別体に形成されており、測定処理に先立って用途に応じた測定用ケーブルを測定器本体に接続して使用する構成が採用されている。例えば、実開昭４７−１７６８３号公報に開示されている低抵抗測定器（以下、単に「測定器」ともいう）では、４端子測定法による測定処理時に使用する２組の接触子（この例では、ワニグチクリップ）をそれぞれ接続するための２組の（４つの）接続用端子が測定器本体に配設されている。このため、２組の接続用端子を配設したことに起因して操作パネルが大形化する結果、この種の測定器には、測定器本体の小形化が困難となっているという問題点もある。
【０００４】
本発明は、かかる問題点に鑑みてなされたものであり、製造コストの低減および測定装置本体の小形化を図り得る測定装置を提供することを主目的とする。
【課題を解決するための手段】
【０００５】
上記目的を達成すべく請求項１記載の測定装置は、測定装置本体、および当該測定装置本体とは別体に構成された一対の測定用ケーブルを備えた測定装置であって、前記測定装置本体が、測定用信号を供給する信号供給部と、測定対象体についての電気的パラメータの測定処理を実行する測定部と、前記信号供給部に接続された第１接続具および前記測定部に接続された第２接続具をそれぞれ有する一対のジャックとを備えて構成され、前記測定用ケーブルが、前記測定対象体に接触させられる第１接触子および第２接触子が相互に絶縁された状態で一端部に接続され、かつ当該第１接触子に接続されると共に前記第１接続具および前記第２接続具のいずれか一方に接触させられる第３接続具と当該第２接触子に接続されると共に当該第１接続具および当該第２接続具の他方に接触させられる第４接続具とを有するプラグが他端部に接続されて構成され、前記ジャックが、前記プラグを挿入可能に形成された挿入用孔内に前記第１接続具および前記第２接続具が配設され、前記プラグが、前記挿入用孔内への挿入方向と直交する方向に沿って前記第３接続具および前記第４接続具が並んで配設されている。
【０００６】
また、請求項２記載の測定装置は、請求項１記載の測定装置において、前記ジャックが、前記挿入用孔としての丸孔内に前記第１接続具および前記第２接続具が対向配置され、前記プラグが、断面半円形状の前記第３接続具と断面半円形状の前記第４接続具とが絶縁体を挟むようにして一体化されて全体として円柱状に形成されている。
【０００７】
さらに、請求項３記載の測定装置は、請求項２記載の測定装置において、前記ジャックには、当該ジャックに挿入した前記プラグの回動を規制する回動規制用凸部および回動規制用凹部のいずれか一方が設けられ、前記プラグには、前記回動規制用凸部および前記回動規制用凹部の他方が設けられている。
【発明の効果】
【０００８】
請求項１記載の測定装置によれば、信号供給部に接続された第１接続具および測定部に接続された第２接続具をそれぞれ有すると共にプラグを挿入可能に形成された挿入用孔内に第１接続具および第２接続具が配設された一対のジャックを有する測定装置本体と、測定対象体に接触させられる第１接触子および第２接触子が相互に絶縁された状態で一端部に接続され、かつ第１接触子に接続されると共に第１接続具および第２接続具のいずれか一方に接触させられる第３接続具と、第２接触子に接続されると共に第１接続具および第２接続具の他方に接触させられる第４接続具とを有するプラグが他端部に接続された測定用ケーブルとを備えて構成したことにより、測定法に応じて信号供給部や測定部に対する接触子の接続状態を切り替えるためのスイッチが不要となるため、その製造コストを十分に低減することができる。また、１つのプラグをジャックに挿入するだけで第１接触子および第２接触子の双方を信号供給部や測定部に接続することができるため、一対のジャックを配設するだけで４端子測定法による抵抗値の測定に必要な測定用ケーブルを測定装置本体に接続することができる結果、測定装置本体の操作パネルを十分に小形化することができる。
【０００９】
また、請求項２記載の測定装置によれば、挿入用孔としての丸孔内に第１接続具および第２接続具を対向配置してジャックを構成すると共に、第３接続具および第４接続具を断面半円形状に形成すると共に絶縁体を挟むようにして両接続具を一体化して全体として円柱状に形成してプラグを構成したことにより、２端子測定法による抵抗値の測定処理時や、電圧値および電流値等の測定処理時において、一般的な測定用ケーブルを使用することができる。このため、この測定装置によれば、２端子測定法による抵抗値の測定処理時や電圧値および電流値等の測定処理時に使用する専用の測定用ケーブルを不要とすることができる結果、測定装置の製造コストを一層低減することができる。
【００１０】
さらに、請求項３記載の測定装置によれば、ジャックに挿入したプラグの回動を規制する回動規制用凸部および回動規制用凹部のいずれか一方をジャックに設けると共に、回動規制用凸部および回動規制用凹部の他方をプラグに設けたことにより、４端子測定法による抵抗値の測定処理時にプラグをジャックに挿入した際に、プラグの第３接続具および第４接続具がジャックの第１接続具および第２接続具の双方に接触して第１接続具および第２接続具が第３接続具および第４接続具によって短絡されて、利用者の意図に反して２端子測定法による抵抗値の測定処理が実施される状態となるのを確実に回避することができる。
【発明を実施するための最良の形態】
【００１１】
以下、添付図面を参照して、本発明に係る測定装置の最良の形態について説明する。
【００１２】
図１に示す測定装置１は、本発明に係る測定装置の一例であって、測定装置本体２および一対の測定用ケーブル１０，１０を備えると共に、後述するようにして、測定用ケーブル１０に代えて一対の測定用ケーブル２０，２０を接続して使用することができるように構成されている。測定装置本体２は、定電流源３、測定部４、操作部５、表示部６、制御部７およびジャック８ａ，８ｂを備えて構成されている。定電流源３は、本発明における信号供給部に相当し、制御部７の制御に従って本発明における測定用信号に相当する定電流を供給する。測定部４は、本発明における測定部の一例であって、制御部７の制御に従って電圧値や電流値等（本発明における電気的パラメータの一例）を測定する。操作部５は、測定レンジや測定モードを切り替えるロータリスイッチ（図示せず）を備えて構成されている。表示部６は、一例として液晶表示器で構成されて制御部７の制御に従って測定結果を表示する。
【００１３】
制御部７は、測定装置１（測定装置本体２）を総括的に制御する。具体的には、制御部７は、４端子法測定法または２端子法測定法による測定対象体の抵抗値の測定処理時において定電流源３を制御して定電流を供給させると共に測定部４によって測定された電圧値と定電流源３から供給させた定電流の電流値とに基づいて抵抗値を演算し、演算結果を表示部６に表示させる。さらに、制御部７は、測定対象体を導通する電流の電流値や電圧値の測定処理時には、定電流源３を制御して定電流の供給を停止させると共に測定部４による測定結果を表示部６に表示させる。ジャック８ａ，８ｂ（以下、区別しないときには「ジャック８」ともいう）は、本発明における一対のジャックの一例であって、定電流源３に接続された接続具３２ａ（本発明における第１接続具）と、測定部４に接続された接続具３２ｂ（本発明における第２接続具）をそれぞれ備え、後述するようにして、測定用ケーブル１０および測定用ケーブル２０のいずれか一方を接続することができるように構成されている。
【００１４】
この場合、測定用ケーブル１０は、本発明における測定用ケーブルの一例であって、測定対象体に接触させられるプローブ１１ａ（本発明における第１接触子の一例）およびプローブ１１ｂ（本発明における第２接触子の一例）が相互に絶縁された状態で一端部に接続され、かつ測定装置本体２に接続するためのプラグ１２が他端部に接続されて構成されている。プラグ１２は、接続具１２ａ，１２ｂを備えている。また、接続具１２ａは、本発明における第３接続具の一例であって、ケーブル１３を介してプローブ１１ａに接続されると共に、プラグ１２をジャック８に挿入した際に上記の接続具３２ａに接触させられる。さらに、接続具１２ｂは、本発明における第４接続具の一例であって、ケーブル１３を介してプローブ１１ｂに接続されると共に、プラグ１２をジャック８に挿入した際に上記の接続具３２ｂに接触させられる。
【００１５】
また、図２に示すように、この測定用ケーブル１０では、一例として、接続具１２ａ，１２ｂは、ぞれぞれ断面半円形状に形成されると共に、プラグ１２の径方向において並設された状態、つまりジャック８にプラグ１２を挿入する挿入方向（同図における上下方向）に沿って両接続具１２ａ，１２ｂが延在する状態で、挿入方向と直交する方向に沿って並んで絶縁体１２ｃを挟んで一体化され、これにより、プラグ１２が全体として円柱状に形成されている。なお、同図では、本発明についての理解を容易とするために、プラグ１２における先端部側を切断した状態を図示している。また、この測定用ケーブル１０では、後述するようにしてジャック８にプラグ１２を挿入した際に、ジャック８に対してプラグ１２が回動するのを規制するための一対の回動規制用凸部１４がプラグ１２を挟んで対向する位置に形成されている。
【００１６】
また、図１，２，４に示す測定用ケーブル２０は、電圧値や電流値等の測定時に使用される一般的な測定用ケーブルであって、一例として、ケーブル２３の一端部にプローブ２１が接続されると共に、ケーブル２３の他端部にいわゆるピンプラグやバナナプラグで構成されたプラグ２２が接続されている。この場合、この測定装置１では、上記のジャック８が測定用ケーブル２０におけるプラグ２２（例えばピンプラグ）の太さや長さに適合するように設計されると共に、これに対応して、上記の測定用ケーブル１０におけるプラグ１２の太さや長さが規定されている。この結果、上記の測定用ケーブル１０におけるプラグ１２は、その太さおよび長さ（外形）が測定用ケーブル２０におけるプラグ２２と同様の太さや長さとなっている。
【００１７】
一方、上記のジャック８は、測定用ケーブル１０におけるプラグ１２および測定用ケーブル２０におけるプラグ２２のいずれか任意の一方を接続可能に構成されている。具体的には、図３に示すように、ジャック８は、プラグ１２，２２を挿入可能な丸孔で構成された挿入用孔３１と、挿入用孔３１内に配設された接続具３２ａ，３２ｂと、接続具３２ａ，３２ｂの周囲を取り囲むようにして配設された周壁３３とを備えている。この場合、接続具３２ａ，３２ｂは、その内面の周方向に沿った長さが上記のプラグ１２における接続具１２ａ，１２ｂの外面の周方向に沿った長さとほぼ等しくなるように、一例として、金属板を樋状（ハーフパイプ状）に折り曲げて構成されている。したがって、後述するようにジャック８にプラグ１２を挿入した状態においては、接続具３２ａ，３２ｂの一方が接続具１２ａ，１２ｂの一方とのみ接続され、かつ接続具３２ａ，３２ｂの他方が接続具１２ａ，１２ｂの他方とのみ接続される。また、周壁３３の上側縁部には、上記の測定用ケーブル１０におけるプラグ１２の周囲に配設された一対の回動規制用凸部１４が嵌合可能な一対の回動規制用凹部３４が形成されている。この場合、両回動規制用凹部３４に両回動規制用凸部１４が嵌合するようにして挿入用孔３１内にプラグ１２を挿入することにより、接続具３２ａに接続具１２ａ，１２ｂのいずれか一方が接触し、かつ接続具３２ｂに接続具１２ａ，１２ｂの他方が接触し、その状態においてジャック８に対するプラグ１２の回動が規制される。
【００１８】
次に、測定装置１の使用方法について、図面を参照して説明する。
【００１９】
この測定装置１において測定対象体の抵抗値を４端子法測定法によって測定する際には、図１に示すように、まず、測定装置本体２に一対の測定用ケーブル１０を接続する。具体的には、測定用ケーブル１０のプラグ１２を測定装置本体２におけるジャック８の挿入用孔３１内に挿入する。この際には、測定用ケーブル１０の両回動規制用凸部１４がジャック８の両回動規制用凹部３４に嵌合する結果、上記したように、測定装置本体２（ジャック８）の接続具３２ａと測定用ケーブル１０（プラグ１２）の接続具１２ａ，１２ｂのいずれか一方（一例として接続具１２ａ）とが相互に接続され、かつ測定装置本体２（ジャック８）の接続具３２ｂと測定用ケーブル１０（プラグ１２）の接続具１２ａ，１２ｂの他方（一例として接続具１２ｂ）とが相互に接続されると共にその状態においてジャック８に対するプラグ１２の回動が規制される。
【００２０】
これにより、挿入用孔３１内でプラグ１２が回動して接続具３２ａ，３２ｂが接続具１２ａ，１２ｂによって短絡される事態が回避され、一例として、両測定用ケーブル１０における両プローブ１１ａが定電流源３に接続されると共に両プローブ１１ｂが測定部４に接続される。このように、この測定装置１では、測定装置本体２に両測定用ケーブル１０を接続するだけで、従来の測定器とは異なり、各種のスイッチを切替え操作することなく、４端子法測定法による抵抗値の測定準備が完了する。なお、４端子法測定法による抵抗値の測定原理については公知のため、詳細な説明を省略する。
【００２１】
一方、この測定装置１において測定対象体の抵抗値を２端子法測定法によって測定する際には、図４に示すように、測定用ケーブル１０に代えて一対の測定用ケーブル２０を測定装置本体２に接続する。具体的には、測定用ケーブル２０のプラグ２２を測定装置本体２におけるジャック８の挿入用孔３１内に挿入する。この際には、測定装置本体２（ジャック８）の接続具３２ａ，３２ｂの双方が測定用ケーブル２０のプラグ２２によって短絡され、その状態で、両測定用ケーブル２０のプローブ２１が定電流源３および測定部４にそれぞれ接続される。このように、この測定装置１では、測定装置本体２に両測定用ケーブル２０を接続するだけで、従来の測定器とは異なり、各種のスイッチを切替え操作することなく、２端子法測定法による抵抗値の測定準備が完了する。なお、２端子法測定法による抵抗値の測定原理については公知のため、詳細な説明を省略する。
【００２２】
このように、この測定装置１によれば、定電流源３に接続された接続具３２ａおよび測定部４に接続された接続具３２ｂをそれぞれ有すると共にプラグ１２を挿入可能に形成された挿入用孔３１内に接続具３２ａ，３２ｂが配設された一対のジャック８ａ，８ｂを有する測定装置本体２と、測定対象体に接触させられるプローブ１１ａ，１１ｂが相互に絶縁された状態で一端部に接続され、かつプローブ１１ａに接続されると共に接続具３２ａ，３２ｂのいずれか一方に接触させられる接続具１２ａと、プローブ１１ｂに接続されると共に接続具３２ａ，３２ｂの他方に接触させられる接続具１２ｂとを有するプラグ１２が他端部に接続された測定用ケーブル１０とを備えて構成したことにより、測定法に応じて定電流源３や測定部４に対する接触子（この例では、測定用ケーブル１０におけるプローブ１１ａ，１１ｂや測定用ケーブル２０におけるプローブ２１）の接続状態を切り替えるためのスイッチが不要となるため、その製造コストを十分に低減することができる。また、１つのプラグ１２をジャック８に挿入するだけでプローブ１１ａ，１１ｂの双方を定電流源３や測定部４に接続することができるため、一対のジャック８ａ，８ｂを配設するだけで４端子測定法による抵抗値の測定に必要な測定用ケーブル１０を測定装置本体２に接続することができる結果、測定装置本体２の操作パネルを十分に小形化することができる。
【００２３】
また、この測定装置１によれば、本発明における挿入用孔としての丸孔（挿入用孔３１）内に接続具３２ａ，３２ｂを対向配置してジャック８ａ，８ｂを構成すると共に、接続具１２ａ，１２ｂを断面半円形状に形成すると共に絶縁体１２ｃを挟むようにして両接続具１２ａ，１２ｂを一体化して全体として円柱状に形成してプラグ１２を構成したことにより、２端子測定法による抵抗値の測定処理時や、電圧値および電流値等の測定処理時において、一般的な測定用ケーブル（一例として、上記の測定用ケーブル２０）を使用することができる。このため、この測定装置１によれば、２端子測定法による抵抗値の測定処理時や電圧値および電流値等の測定処理時に使用する専用の測定用ケーブルを不要とすることができる結果、測定装置１の製造コストを一層低減することができる。
【００２４】
さらに、この測定装置１によれば、ジャック８ａ，８ｂに挿入したプラグ１２の回動を規制する回動規制用凸部および回動規制用凹部のいずれか一方（この例では、回動規制用凹部３４）をジャック８ａ，８ｂに設けると共に、回動規制用凸部および回動規制用凹部の他方（この例では、回動規制用凸部１４）をプラグ１２に設けたことにより、４端子測定法による抵抗値の測定処理時にプラグ１２をジャック８ａ，８ｂに挿入した際に、接続具１２ａ，１２ｂが接続具３２ａ，３２ｂの双方に接触して接続具３２ａ，３２ｂが接続具１２ａ，１２ｂによって短絡されて、利用者の意図に反して２端子測定法による抵抗値の測定処理が実施される状態となるのを確実に回避することができる。
【００２５】
なお、本発明は、上記の構成および方法に限定されない。例えば、測定用ケーブルの側に回動規制用凸部（この例では、測定用ケーブル１０の回動規制用凸部１４）を設けると共に、測定装置本体の側に回動規制用凹部（この例では、ジャック８の回動規制用凹部３４）を設けた測定装置１を例に挙げて説明したが、本発明はこれに限定されず、測定用ケーブルの側に回動規制用凹部を設けると共に測定装置本体の側に回動規制用凸部を設ける構成（図示せず）や、測定用ケーブルの側に回動規制用凸部および回動規制用凹部の双方を設けると共に測定装置本体の側に測定用ケーブルの側の回動規制用凸部および回動規制用凹部に嵌合可能な回動規制用凹部および回動規制用凸部を設ける構成（図示せず）を採用することもできる。
【００２６】
また、断面半円形状の接続具１２ａ，１２ｂを備えて全体として円柱状に形成したプラグ１２を有する測定用ケーブル２０と、このプラグ１２や測定用ケーブル２０のプラグ２２を挿入可能な丸孔で構成した挿入用孔３１を有するジャック８を備えた測定装置本体２を例に挙げて説明したが、本発明における測定用ケーブルや測定装置本体の構成はこれに限定されない。一例として、図５に示す測定装置１Ａは、本発明における測定装置本体の他の一例に相当する測定装置本体２ａと、本発明における測定用ケーブルの他の一例に相当する測定用ケーブル４０と、上記の測定用ケーブル２０に代えて使用する測定用ケーブル５０とを備えている。
【００２７】
この場合、測定用ケーブル４０は、そのプラグ４２側の端部の構成が前述した測定用ケーブル１０におけるプラグ１２側の端部の構成と相違する点を除き、測定用ケーブル１０とほぼ同様に構成されている。具体的には、この測定用ケーブル４０のプラグ４２は、測定装置本体２ａに形成されたジャック９ａ，９ｂ（本発明におけるジャックの他の一例：以下、区別しないときには、「ジャック９」ともいう）に対して接続可能に構成されている。なお、同図に示す測定装置本体２ａは、前述した測定装置１における測定装置本体２のジャック８に代えてジャック９が形成されている点を除き、測定装置本体２と同様に構成されている。この場合、ジャック９は、角孔で構成された挿入用孔６１の内部に本発明における第１接続具の他の一例である接続具６２ａと、本発明における第２接続具の他の一例である接続具６２ｂとがそれぞれ配設され、測定用ケーブル４０，５０のいずれかを接続可能に構成されている。
【００２８】
一方、上記の測定用ケーブル４０は、ケーブル１３を介してプローブ１１ａに接続されると共に、プラグ４２を測定装置本体２ａのジャック９に挿入した際に上記の接続具６２ａに接触させられる接続具４２ａ（本発明における第３接続具の他の一例）と、ケーブル１３を介してプローブ１１ｂに接続されると共に、プラグ４２をジャック９に挿入した際に上記の接続具６２ｂに接触させられる接続具４２ｂ（本発明における第４接続具の他の一例）とを備えている。また、この測定用ケーブル４０では、一例として、接続具４２ａ，４２ｂがぞれぞれ断面矩形状に形成されると共に、後述するようにしてジャック９にプラグ４２を挿入する挿入方向（同図における上下方向）と直交する方向に沿って両接続具４２ａ，４２ｂが並ぶようにして絶縁体４２ｃを挟んで一体化され、これにより、プラグ４２が全体として角柱状に形成されている。なお、このプラグ４２では、円柱状に形成された上記のプラグ１２とは異なり、ジャック９の挿入用孔６１に挿入した状態においてジャック９に対して回動するおそれがないため、本発明における回動規制用凸部や回動規制用凹部に相当する凸部や凹部が不要となっている。
【００２９】
また、測定用ケーブル５０は、測定装置１Ａにおいて２端子測定法による抵抗値の測定処理や電圧値および電流値等の測定処理を実施する際に、前述した測定用ケーブル２０に代えて使用する測定用ケーブルであって、そのプラグ５２が前述した測定用ケーブル２０におけるプラグ２２と相違する点を除き、測定用ケーブル２０とほぼ同様に構成されている。また、この測定用ケーブル５０のプラグ５２は、上記の測定用ケーブル４０におけるプラグ４２の外形と同様の角柱状で、かつ同等の大きさに形成されている。
【００３０】
この測定装置１Ａにおいて測定対象体の抵抗値を４端子法測定法によって測定する際には、測定用ケーブル５０のプラグ４２を測定装置本体２ａにおけるジャック９の挿入用孔６１内に挿入する。この際には、測定装置本体２ａ（ジャック９）の接続具６２ａと測定用ケーブル４０（プラグ４２）の接続具４２ａ，４２ｂのいずれか一方とが相互に接続され、かつ測定装置本体２ａ（ジャック９）の接続具６２ｂと測定用ケーブル４０（プラグ４２）の接続具４２ａ，４２ｂの他方とが相互に接続される。したがって、この測定装置１Ａでは、前述した測定装置１と同様にして、測定装置本体２ａに両測定用ケーブル４０を接続するだけで、従来の測定器とは異なり、各種のスイッチを切替え操作することなく、４端子法測定法による抵抗値の測定準備が完了する。
【００３１】
一方、この測定装置１Ａにおいて測定対象体の抵抗値を２端子法測定法によって測定する際には、測定用ケーブル４０に代えて一対の測定用ケーブル５０を測定装置本体２ａに接続する。具体的には、測定用ケーブル５０のプラグ５２を測定装置本体２ａにおけるジャック９の挿入用孔６１内に挿入する。この際には、測定装置本体２ａ（ジャック９）の接続具６２ａ，６２ｂの双方が測定用ケーブル５０のプラグ５２によって短絡されると共に、両測定用ケーブル５０におけるプローブ２１が定電流源３および測定部４にそれぞれ接続される。このように、この測定装置１Ａでは、前述した測定装置１と同様にして、測定装置本体２ａに両測定用ケーブル５０を接続するだけで、従来の測定器とは異なり、各種のスイッチを切替え操作することなく、２端子法測定法による抵抗値の測定準備が完了する。
【００３２】
したがって、この測定装置１Ａによれば、前述した測定装置１と同様にして、測定法に応じて定電流源３や測定部４に対する接触子（この例では、測定用ケーブル４０におけるプローブ１１ａ，１１ｂや測定用ケーブル５０におけるプローブ２１）の接続状態を切り替えるためのスイッチが不要となるため、その製造コストを十分に低減することができる。また、１つのプラグ４２をジャック９に挿入するだけでプローブ１１ａ，１１ｂの双方を定電流源３や測定部４に接続することができるため、一対のジャック９ａ，９ｂを配設するだけで４端子測定法による抵抗値の測定に必要な測定用ケーブル４０を測定装置本体２ａに接続することができる結果、測定装置本体２ａの操作パネルを十分に小形化することができる。
【図面の簡単な説明】
【００３３】
【図１】測定装置１および測定用ケーブル２０の構成を示す構成図である。
【図２】測定用ケーブル１０，２０におけるプラグ１２，２２側の一部断面外観斜視図である。
【図３】測定装置本体２におけるジャック８ａ，８ｂ近傍の一部透過外観斜視図である。
【図４】測定用ケーブル２０，２０を接続した状態の測定装置１の構成図である。
【図５】測定装置１Ａにおける測定用ケーブル４０，５０のプラグ４２，５２側の外観斜視図、および測定装置本体２ａにおけるジャック９ａ，９ｂの一部透過外観斜視図である。
【符号の説明】
【００３４】
１，１Ａ  測定装置
２，２ａ  測定装置本体
３  定電流源
４  測定部
８ａ，８ｂ，９ａ，９ｂ  ジャック
１０，２０，４０，５０  測定用ケーブル
１１ａ，１１ｂ，２１  プローブ
１２，２２，４２，５２  プラグ  
１２ａ，１２ｂ，３２ａ，３２ｂ，４２ａ，４２ｂ，６２ａ，６２ｂ  接続具
１２ｃ，４２ｃ  絶縁体
１３，２３  ケーブル
１４  回動規制用凸部
３１，６１  挿入用孔
３４  回動規制用凹部
【図１】
2010117248.tif 000003
【図２】
2010117248.tif 000004
【図３】
2010117248.tif 000005
【図４】
2010117248.tif 000006
【図５】
2010117248.tif 000007